(57)【要約】      （修正有）【課題】電気化学式水素ポンプのフラッディング軽減により水素圧縮動作の効率を向上すること。【解決手段】電気化学式水素ポンプは、電解質膜２２と、電解質膜の一方の主面に設けられたアノード触媒層２３と、電解質膜の他方の主面に設けられたカソード触媒層２４と、アノード触媒層上に設けられたアノードガス拡散層３５と、アノードガス拡散層上に設けられたアノードセパレータ３６と、アノード触媒層とカソード触媒層との間に電圧を印加する電圧印加器とを備える。アノードガス拡散層は、アノード触媒層よりも面積が大きく、かつアノード触媒層に対向する第１の部分３５Ａの方がアノード触媒層に対向していない第２の部分３５Ｂよりも撥水性が高い。アノードセパレータに設けられたアノードガス流路は、第１の部分上および第２の部分上に設けられている。【選択図】図１Ａ
2019119654.tif 000002
【特許請求の範囲】
【請求項１】
電解質膜と、
前記電解質膜の一方の主面に設けられたアノード触媒層と、
前記電解質膜の他方の主面に設けられたカソード触媒層と、
前記アノード触媒層上に設けられたアノードガス拡散層と、
前記アノードガス拡散層上に設けられたアノードセパレータと、
前記アノード触媒層と前記カソード触媒層との間に電圧を印加する電圧印加器とを備え、
前記アノードガス拡散層は、前記アノード触媒層よりも面積が大きく、かつ前記アノード触媒層に対向する第１の部分の方が前記アノード触媒層に対向していない第２の部分よりも撥水性が高く、
前記アノードセパレータに設けられたアノードガス流路は、前記第１の部分上および前記第２の部分上に設けられている電気化学式水素ポンプ。
【請求項２】
前記アノードガス拡散層と前記電解質膜との間に、複数の通気孔を備えるアノードガス拡散板を備え、前記複数の通気孔は、前記第２の部分上よりも前記第１の部分上に多く設けられており、前記第２の部分に対向するアノードガス拡散板上に、前記電解質膜を介してシール部材が設けられている請求項１記載の電気化学式水素ポンプ。
【請求項３】
前記アノードガス流路は、アノードガスが前記第１の部分上を流れた後、前記第２の部分上を流れるように形成されており、かつ前記アノードガス流路に供給されるアノードガスの露点がセル温度と同じである請求項１記載の電気化学式水素ポンプ。
【請求項４】
前記アノードガス流路は、アノードガスが前記第２の部分上を流れた後、前記第１の部分上を流れるように形成されており、かつ前記アノードガス流路に供給されるアノードガスの露点がセル温度より低い請求項１記載の電気化学式水素ポンプ。
【請求項５】
前記第１の部分は、中心部から外周部に向けて、撥水性が低下している請求項１記載の電気化学式水素ポンプ。
【発明の詳細な説明】
【技術分野】
【０００１】
本開示は電気化学式水素ポンプに関する。
【背景技術】
【０００２】
近年、燃費向上、カーボンフリー燃料の利用の観点から、燃料電池により発電された電力でモーターを駆動して走行する燃料電池車が注目を集めており、発売が開始されている。しかし、燃料電池車の普及にあたっては、燃料となる水素ガス供給のインフラストラクチャを整え、全国に水素ステーションをいかに多く広範囲に設置できるかが課題となっている。これまで、水素ステーションとして、圧力スイング吸着法（ＰＳＡ）で、水素を精製および圧縮する方法などが行われてきたが、装置の大型化および膨大な設置コストなどが、水素ステーションの全国展開の障害となっている。
【０００３】
来るべき水素社会では、水素を製造することに加えて、水素ガスを高密度で貯蔵し、小容量かつ低コストで輸送または利用し得る技術開発が求められている。特に、分散型のエネルギー源となる燃料電池の普及の促進には、燃料供給インフラを整備する必要がある。また、燃料供給インフラに水素を安定的に供給するために、高純度の水素ガスを精製および昇圧する様々な提案が行われている。
【０００４】
例えば、特許文献１には、電解質膜が挟持されたアノードとカソードとの間の電圧印加によって、水素ガスの精製および昇圧が行われる水素精製昇圧システムが記載されている。具体的には、アノードとカソードとの間に電流が流れるとき、アノードの水素がプロトンになり、プロトンがアノードからカソードへと、水分子を同伴しながら電解質膜を移動する。なお、アノード、電解質膜およびカソードの積層構造体を膜電極接合体（以下、ＭＥＡ：Membrane Electrode Assembly）という。
【０００５】
また、固体高分子形の電解質膜を備えるＭＥＡのアノードとカソード間に電圧をかけて、アノード側に供給された水を電気分解することで、アノード側で酸素、カソード側で水素を製造する高圧水素製造装置が提案されている（例えば、特許文献２参照）。そして、この高圧水素製造装置には、電解質膜およびアノード給電体の変形に対して、カソード給電体を電解質膜に密着させるための皿バネまたはコイルバネが設けられている。
【先行技術文献】
【特許文献】
【０００６】
【特許文献１】特開２０１５−１１７１３９号公報
【特許文献２】特開２００６−７０３２２号公報
【発明の概要】
【発明が解決しようとする課題】
【０００７】
水素エネルギーを高効率で利用することが従来から望まれているので、電気化学式水素ポンプの水素圧縮動作における効率向上が重要である。
【０００８】
ここで、従来例では、電気化学式水素ポンプの触媒層と給電体との間の電気的接触の視点から水素圧縮動作の効率を向上することが検討されているが、電気化学式水素ポンプのフラッディング軽減の視点から水素圧縮動作の効率を向上することは検討されていない。
【０００９】
本開示の一態様（aspect）は、このような事情に鑑みてなされたものであり、アノードガス拡散層のフラッディングを軽減することで、従来よりも水素圧縮動作を高効率で安定に行い得る電気化学式水素ポンプを提供する。
【課題を解決するための手段】
【００１０】
本開示の一態様の電気化学式水素ポンプは、電解質膜と、前記電解質膜の一方の主面に設けられたアノード触媒層と、前記電解質膜の他方の主面に設けられたカソード触媒層と、前記アノード触媒層上に設けられたアノードガス拡散層と、前記アノードガス拡散層上に設けられたアノードセパレータと、前記アノード触媒層と前記カソード触媒層との間に電圧を印加する電圧印加器とを備え、前記アノードガス拡散層は、前記アノード触媒層よりも面積が大きく、かつ前記アノード触媒層に対向する第１の部分の方が前記アノード触媒層に対向していない第２の部分よりも撥水性が高く、前記アノードセパレータに設けられたアノードガス流路は、前記第１の部分上および前記第２の部分上に設けられている。
【発明の効果】
【００１１】
本開示の一態様の電気化学式水素ポンプは、アノードガス拡散層のフラッディングを軽減することで、従来よりも水素圧縮動作を高効率で安定に行い得る。
【図面の簡単な説明】
【００１２】
【図１Ａ】図１Ａは、第１実施形態の電気化学式水素ポンプの一例を示す図である。
【図１Ｂ】図１Ｂは、第１実施形態の電気化学式水素ポンプの一例を示す図である。
【図２】図２は、第１実施形態の電気化学式水素ポンプのアノードガス拡散層の一例を示す図である。
【図３】図３は、第１実施形態の電気化学式水素ポンプのアノードセパレータの一例を示す図である。
【図４】図４は、第１実施形態の変形例の電気化学式水素ポンプのアノードセパレータの一例を示す図である。
【図５】図５は、第２実施形態の電気化学式水素ポンプの一例を示す図である。
【図６】図６は、第２実施形態の電気化学式水素ポンプのアノードガス拡散板の一例を示す図である。
【図７】図７は、第３実施形態の電気化学式水素ポンプの一例を示す図である。
【図８】図８は、第４実施形態の電気化学式水素ポンプの一例を示す図である。
【図９】図９は、第４実施形態の電気化学式水素ポンプのアノードセパレータの一例を示す図である。
【図１０】図１０は、第５実施形態の電気化学式水素ポンプのアノードガス拡散層の一例を示す図である。
【発明を実施するための形態】
【００１３】
電気化学式水素ポンプのフラッディング軽減の視点から水素圧縮動作の効率を向上するための検討が行われ、以下の知見が得られた。
【００１４】
電気化学式水素ポンプが、例えば、固体高分子形の電解質膜を備える場合、電気化学的に水素を精製および昇圧する際に、電気化学式水素ポンプの電解質膜の湿潤状態、電極における水の状態によりポンプ性能（過電圧を指標とする効率性能）が左右される。
【００１５】
具体的には、例えば、電気化学式水素ポンプの電解質膜の水分が不足する場合、電解質膜のプロトン伝導性が低下する可能性がある。すると、電気化学式水素ポンプの水素圧縮動作時の電気エネルギーが大きくなるので、電気化学式水素ポンプの水素圧縮動作の効率が低下する。
【００１６】
逆に、例えば、電気化学式水素ポンプの電解質膜の水分が過剰である場合、アノードガス中の水蒸気が凝縮することで、凝縮水により電気化学式水素ポンプのガス流路の閉塞が発生する可能性がある。すると、電気化学式水素ポンプの水素拡散性が阻害されやすくなる。この場合も、所望のプロトン移動を確保するためのポンプ動作に必要な電力が増加するので、電気化学式水素ポンプの水素圧縮動作の効率が低下する。
【００１７】
特に、電気化学式水素ポンプの水素圧縮動作時には、アノードからカソードにプロトンと同伴して移動（浸透）した水が、カソードおよびアノード間の差圧によってカソードからアノードに逆流（逆浸透）する。これにより、アノードガス拡散層においてフラッディング（水によるガス流路の閉塞現象）を引き起こすことが多い。
【００１８】
そこで、発明者らは、アノードガス拡散層のフラッディングを軽減すべく鋭意検討を行い、アノードガス拡散層の撥水性を調整するという着想に到達した。そして、以下の本開示の一態様を完成させるに至った。
【００１９】
すなわち、本開示の第１態様の電気化学式水素ポンプは、以上の知見に基づいて案出できたものであり、電解質膜と、電解質膜の一方の主面に設けられたアノード触媒層と、電解質膜の他方の主面に設けられたカソード触媒層と、アノード触媒層上に設けられたアノードガス拡散層と、アノードガス拡散層上に設けられたアノードセパレータと、アノード触媒層とカソード触媒層との間に電圧を印加する電圧印加器とを備え、アノードガス拡散層は、アノード触媒層よりも面積が大きく、かつアノード触媒層に対向する第１の部分の方がアノード触媒層に対向していない第２の部分よりも撥水性が高く、アノードセパレータに設けられたアノードガス流路は、第１の部分上および第２の部分上に設けられている。
【００２０】
かかる構成によると、本態様の電気化学式水素ポンプは、アノードガス拡散層のフラッディングを軽減することで、従来よりも水素圧縮動作を高効率で安定に行い得る。
【００２１】
具体的には、本態様の電気化学式水素ポンプは、アノードガス拡散層の第１の部分（例えば、中央部分）の方が、アノードガス拡散層の第２の部分（例えば、周辺部分）よりも撥水性が高いので、アノードガス拡散層の第１の部分に存在する水は、第１の部分から第２の部分に移動しやすい傾向がある。よって、第１の部分に水が滞留する状態を改善することができる。そして、第２の部分に移動した水は、アノードガス流路を第２の部分上にも設けているので、かかるアノードガス流路を通じて外部に適切に排水することができる。
【００２２】
このようにして、本態様の電気化学式水素ポンプは、アノードガス拡散層の第１の部分においてフラッディングを引き起こす状態を軽減することができる。そして、仮に、アノードガス拡散層の第１の部分においてフラッディングが発生した場合、電気化学式水素ポンプの水素拡散性が阻害され、これにより、電気化学式水素ポンプの過電圧が上昇する可能性、電圧が変動する可能性などがあるが、本態様の電気化学式水素ポンプは、以上の構成により、このような可能性を低減できる。
【００２３】
本開示の第２態様の電気化学式水素ポンプは、第１態様の電気化学式水素ポンプにおいて、アノードガス拡散層と電解質膜との間に、複数の通気孔を備えるアノードガス拡散板を備え、複数の通気孔は、アノードガス拡散層の第２の部分上よりもアノードガス拡散層の第１の部分上に多く設けられており、第２の部分に対向するアノードガス拡散板上に、電解質膜を介してシール部材が設けられていてもよい。
【００２４】
かかる構成によると、本態様の電気化学式水素ポンプは、アノードガス拡散層と電解質膜との間にアノードガス拡散板を設けた場合であっても、アノードガス拡散層の第１の部分に対向するアノードガス拡散板の通気孔を通じて、アノード触媒層とアノードガス拡散層との間でアノードガスを通過可能に構成できる。そして、アノードガス拡散層の第１の部分に対向するアノードガス拡散板の部分に比べてアノードガス拡散層の第２の部分に対向するアノードガス拡散板の部分では通気孔が少ないので、アノードガス拡散板の後者の部分は、前者の部分に比べて平坦面を構成しやすくなる。すると、シール部材およびアノードガス拡散板の後者の部分を用いて、電気化学式水素ポンプのカソードを適切にシールすることができる。
【００２５】
本開示の第３態様の電気化学式水素ポンプは、第１態様の電気化学式水素ポンプにおいて、アノードガス流路は、アノードガスがアノードガス拡散層の第１の部分上を流れた後、アノードガス拡散層の第２の部分上を流れるように形成されており、かつアノードガス流路に供給されるアノードガスの露点がセル温度と同じであってもよい。
【００２６】
電解質膜を十分な湿潤状態に維持する観点からＭＥＡに供給するアノードガスの露点はセル温度とほぼ同じ温度に調整することが望ましい。この場合でも、本態様の電気化学式水素ポンプは、アノードガス拡散層の撥水性を適切に調整することで、アノードガス拡散層の第１の部分においてフラッディングを引き起こす状態を軽減することができる。
【００２７】
本開示の第４態様の電気化学式水素ポンプは、第１態様の電気化学式水素ポンプにおいて、アノードガス流路は、アノードガスがアノードガス拡散層の第２の部分上を流れた後、アノードガス拡散層の第１の部分上を流れるように形成されており、かつアノードガス流路に供給されるアノードガスの露点がセル温度より低くてもよい。
【００２８】
かかる構成によると、本態様の電気化学式水素ポンプは、アノードガスの露点がセル温度より低い場合、アノードガスが、撥水性が低い第２の部分上、および、撥水性が高い第１の部分上をこの順番に流れることで、アノードガスの加湿に第２の部分に存在する水を効果的に利用できる。また、第２の部分に存在する水をアノードガスの加湿に利用することで、第１の部分から第２の部分への水の移動を促進することができる。
【００２９】
本開示の第５態様の電気化学式水素ポンプは、第１態様の電気化学式水素ポンプにおいて、アノードガス拡散層の第１の部分は、中心部から外周部に向けて、撥水性が低下していてもよい。
【００３０】
かかる構成によると、本態様の電気化学式水素ポンプは、第１の部分が、中心部から外周部に向けて撥水性を低下することで、アノードガス拡散層の第１の部分のうち、撥水性が高い中心部に存在する水を撥水性が低い外周部に効果的に移動させることができる。
【００３１】
以下、添付図面を参照しつつ、本開示の実施形態について説明する。以下で説明する実施形態は、いずれも上記の各態様の一例を示すものである。よって、以下で示される形状、材料、構成要素、構成要素の配置位置および接続形態などは、請求項に記載されていない限り、上記の各態様を限定するものではない。また、以下の構成要素のうち、本態様の最上位概念を示す独立請求項に記載されていない構成要素については、任意の構成要素として説明される。また、図面において同じ符号が付いたものは説明を省略する場合がある。また、図面は理解しやすくするためにそれぞれの構成要素を模式的に示したもので、形状および寸法比などについては正確な表示ではない場合がある。
【００３２】
（第１実施形態）
［装置構成］
図１Ａおよび図１Ｂは、第１実施形態の電気化学式水素ポンプの一例を示す図である。
図１Ｂには、図１Ａの電気化学式水素ポンプのＢ部の拡大図が示されている。
【００３３】
図１Ａおよび図１Ｂに示す例では、電気化学式水素ポンプ１００は、電解質膜２２と、アノード触媒層２３と、カソード触媒層２４と、電圧印加器２１と、アノードガス拡散層３５と、アノードセパレータ３６と、を備える。
【００３４】
なお、図１Ａでは、便宜上、アノード触媒層２３およびカソード触媒層２４が設けられている電解質膜２２と、アノードガス拡散層３５と、アノードセパレータ３６とが分離したように描かれているが、実際は、これらの部材は、図１Ａの一点鎖線で示された配置関係で一体的に配置されている。
【００３５】
具体的には、例えば、アノードガス拡散層３５は、アノードセパレータ３６の凹部３６Ａに収納されている。また、アノードガス拡散層３５の第１の部分３５Ａの周縁部３５Ｇがアノード触媒層２３の端部と一致するように、両者が接合されている。
【００３６】
電解質膜２２は、プロトン（Ｈ＋）伝導性を備える電解質膜である。電解質膜２２はプロトン伝導性を備える電解質膜であれば、どのような構成であってもよい。例えば、電解質膜２２として、フッ素系高分子電解質膜などを挙げることができる。具体的には、電解質膜２２として、例えば、Ｎａｆｉｏｎ（登録商標、デュポン社製）、Ａｃｉｐｌｅｘ（登録商標、旭化成株式会社製）などを用いることができるが、これらに限定されない。
【００３７】
アノード触媒層２３は、電解質膜２２の一方の主面に設けられている。アノード触媒層２３は、例えば、触媒金属として白金（Ｐｔ）などを含んでもよいが、これに限定されない。なお、図１Ａおよび図１Ｂでは図示を省略しているが、平面視において、アノード触媒層２３の周囲を囲むようにシール部材が設けられ、アノードガスが、このシール部材で適切にシールされている。
【００３８】
カソード触媒層２４は、電解質膜２２の他方の主面に設けられている。カソード触媒層２４は、例えば、触媒金属としてＰｔなどを含んでもよいが、これに限定されない。なお、図１Ａおよび図１Ｂでは図示を省略しているが、平面視において、カソード触媒層２４の周囲を囲むようにシール部材が設けられ、カソードガスが、このシール部材で適切にシールされている。
【００３９】
カソード触媒層２４もアノード触媒層２３も、触媒の調製方法としては、種々の方法を挙げることができるので、特に限定されない。例えば、触媒の担体としては、導電性の酸化物粉末、炭素系粉末などを挙げることができる。炭素系粉末としては、例えば、黒鉛、カーボンブラック、電気導電性を有する活性炭などの粉末を挙げることができる。カーボンなどの担体に、白金若しくは他の触媒金属を担持する方法は、特に限定されない。例えば、粉末混合または液相混合などの方法を用いてもよい。後者の液相混合としては、例えば、触媒成分コロイド液にカーボンなどの担体を分散させ、吸着させる方法などが挙げられる。また、必要に応じて活性酸素除去材を担体として、白金若しくは他の触媒金属を上記と同様の方法で担持することができる。白金などの触媒金属の担体への担持状態は、特に限定されない。例えば、触媒金属を微粒子化し、高分散で担体に担持してもよい。
【００４０】
アノードガス拡散層３５は、アノード触媒層２３上に設けられている。アノードガス拡散層３５は、例えば、多孔質体などで構成され、耐腐食性、導電性およびガス拡散性を備える。また、アノードガス拡散層３５は、電気化学式水素ポンプ１００の水素圧縮動作時に電気化学式水素ポンプ１００のアノードおよびカソードの間の差圧で発生する構成部材の変位、変形を抑制し得る高剛性材料で構成する方が望ましい。なお、電気化学式水素ポンプ１００のアノード（電極）は、アノード触媒層２３およびアノードガス拡散層３５で構成されている。電気化学式水素ポンプ１００のカソード（電極）は、カソード触媒層２４およびカソードガス拡散層（図１Ａでは図示せず）で構成されている。
【００４１】
ここで、アノードガス拡散層３５は、撥水性が高い第１の部分３５Ａと、撥水性が低い第２の部分３５Ｂを備えるが、かかるアノードガス拡散層３５の詳細な構成の一例は後で説明する。
【００４２】
アノードセパレータ３６は、アノードガス拡散層３５上に設けられている。アノードガス拡散層３５は、上記のとおり、アノードセパレータ３６の中央部分の凹部３６Ａ内に収納されている。
【００４３】
そして、アノードセパレータ３６のアノードガス拡散層３５に接する主面には、例えば、アノードガス拡散層３５にアノードガスを供給するためのサーペンタイン状のアノードガス流路３７が形成されている。なお、アノードガス流路３７は、アノードセパレータ３６とは別の板部材にサーペンタイン状のスリット孔に設け、両者を一体的に接合することで形成してもよいし、アノードセパレータ３６の主面にサーペンタイン状の流路溝を加工することで形成してもよい。アノードセパレータ３６の詳細については後で説明する。
【００４４】
電圧印加器２１は、アノード触媒層２３とカソード触媒層２４との間に電圧を印加する装置である。
【００４５】
電圧印加器２１は、アノード触媒層２３とカソード触媒層２４との間に電圧を印加することができれば、どのような構成であってもよい。具体的には、電圧印加器２１の高電位側端子が、アノード触媒層２３に接続され、電圧印加器２１の低電位側端子が、カソード触媒層２４に接続されている。これにより、電圧印加器２１を用いて、アノード触媒層２３およびカソード触媒層２４の間で通電が行われる。
【００４６】
電圧印加器２１として、例えば、ＤＣ／ＤＣコンバータ、ＡＣ／ＤＣコンバータなどを挙げることができる。ＤＣ／ＤＣコンバータは、電圧印加器２１が、バッテリなどの直流電源と接続された場合に用いられ、ＡＣ／ＤＣコンバータは、電圧印加器２１が、商用電源などの交流電源と接続された場合に用いられる。
【００４７】
ここで、図１Ａおよび図１Ｂには示されていないが、本実施形態の電気化学式水素ポンプ１００の水素圧縮動作において必要となる部材および機器は適宜、設けられる。
【００４８】
例えば、電気化学式水素ポンプ１００は、ＭＥＡ、アノードセパレータ３６およびカソードセパレータで構成される単セルを１０〜２００個程度、積み重ねて積層体を構成し、この積層体を、集電板および絶縁板を介して端板で挟み、両端板を締結ロッドなどで締結してもよい。なお、このような単セルの個数は、電気化学式水素ポンプ１００の運転条件をもとに適宜の数に設定することができる。このとき、高圧ガスが電気化学式水素ポンプ１００から外部へリークしないように、ＭＥＡの両側からＯリング、ガスケットなどのシール部材が設けられ、ＭＥＡと一体化して予め組み立てられていてもよい。そして、ＭＥＡの外側には、これを機械的に固定するとともに、隣接するＭＥＡ同士を互いに電気的に直列に接続するための上記の導電性のアノードセパレータ３６およびカソードセパレータが配置されている。
【００４９】
また、所定の供給圧を有する外部のアノードガス供給源から電気化学式水素ポンプ１００にアノードガスが供給されてもよい。外部のアノードガス供給源として、例えば、ガス貯蔵器（例えば、ガスボンベ）、ガス供給インフラなどを挙げることができる。アノードガスとして、例えば、水素ガスを挙げることができる。この場合、水素ガスは、例えば、水電解装置などで生成されてもよい。
【００５０】
また、電気化学式水素ポンプ１００のカソードから導出された水素は、適宜の水素需要体に供給することができる。水素需要体として、例えば、家庭用または自動車用の燃料電池などを挙げることができる。
【００５１】
なお、以上の図示しない様々な部材および機器は例示であって、本例に限定されない。
【００５２】
［アノードガス拡散層の構成］
図２は、第１実施形態の電気化学式水素ポンプのアノードガス拡散層の一例を示す図である。図２には、図１のアノードガス拡散層３５を平面視した図が示されている。
【００５３】
アノードガス拡散層３５は、上記のとおり、撥水性が高い第１の部分３５Ａと、撥水性が低い第２の部分３５Ｂを備える。
【００５４】
具体的には、図１および図２に示すように、アノードガス拡散層３５の面積は、アノード触媒層２３の面積よりも大きく、かつアノード触媒層２３に対向する第１の部分３５Ａの方がアノード触媒層２３に対向していない第２の部分３５Ｂよりも撥水性が高い。
【００５５】
本実施形態の電気化学式水素ポンプ１００では、平面視において、第１の部分３５Ａが、アノードガス拡散層３５の中央部分に相当し、第２の部分３５Ｂが、第１の部分３５Ａの周縁部３５Ｇを環状に囲むアノードガス拡散層３５の周辺部分に相当する。
【００５６】
アノードガス拡散層３５は、白金メッキが施されたチタン（Ｔｉ）粉末焼結体などの耐腐食性および導電性を備える多孔質体で構成されているが、これに限定されない。
【００５７】
ここで、アノードガス拡散層３５の第１の部分３５Ａは、チタン粉末焼結体をＰＴＦＥ（ポリテトラフルオロエチレン）溶液中に浸み込ませて焼成することにより撥水処理が平面内でほぼ均等に施されている。具体的には、図２の拡大図で示すように、多孔質構造のチタン粉末焼結体の表面上には、適量のＰＴＦＥ粒子３５Ｐが付着している。これにより、第１の部分３５Ａにおいて撥水性が発現されている。なお、このような第１の部分３５Ａの撥水処理は例示であって、本例に限定されない。
【００５８】
一方、アノードガス拡散層３５の第２の部分３５Ｂは、上記の撥水処理が施されていない。具体的には、図２の拡大図で示すように、多孔質構造のチタン粉末焼結体の表面には、ＰＴＦＥ粒子３５Ｐが付着していない。
【００５９】
以上のアノードガス拡散層３５は例示であって、本例に限定されない。例えば、平面視において、第１の部分３５Ａの形状は円盤状であり、第２の部分３５Ｂの形状が円環状であるが、これらに限定されない。第１の部分３５Ａの平面視の形状が矩形状であり、第２の部分３５Ｂの平面視の形状が矩形環状であってもよい。また、アノードガス拡散層３５の撥水性の他の例は、第５実施形態で説明する。
【００６０】
［アノードセパレータの構成］
図３は、第１実施形態の電気化学式水素ポンプのアノードセパレータの一例を示す図である。図３には、図１のアノードセパレータ３６を平面視した図が示されている。なお、図３では、便宜上、アノードガス拡散層３５の第１の部分３５Ａの周縁部３５Ｇに対応するラインを二点鎖線で描いている。
【００６１】
アノードガス流路３７は、アノードガス拡散層３５の第１の部分３５Ａ上および第２の部分３５Ｂ上に設けられている。
【００６２】
図３に示す例では、アノードガス流入口３７ＩＮおよびサーペンタイン状に延伸するアノードガス流路３７の部分が、アノードガス拡散層３５の第１の部分３５Ａに接触するアノードセパレータ３６の主面に形成されている。また、第１の部分３５Ａの周縁部３５Ｇを横切った後、周縁部３５Ｇの周囲を囲むように円状に延伸するアノードガス流路３７の部分およびアノードガス流出口３７ＯＵＴが、アノードガス拡散層３５の第２の部分３５Ｂに接触するアノードセパレータ３６の主面に形成されている。
【００６３】
アノードセパレータ３６は、例えば、金属部材などで構成され、耐腐食性および導電性を備える。アノードセパレータ３６の材質として、例えば、白金メッキが施されたチタンなどを用いることができるが、これに限定されない。
【００６４】
以上のアノードセパレータ３６は例示であって、本例に限定されない。例えば、アノードセパレータ３６の形状は、有底の円筒体であるが、これに限定されない。アノードセパレータ３６の形状は、有底の矩形筒体であってもよい。但し、本実施形態の電気化学式水素ポンプ１００の如く、アノードセパレータ３６を円筒体で構成することにより、これを矩形筒体で構成する場合に比べ、アノードセパレータ３６のガス圧力に対する耐性を向上させることができる。
【００６５】
また、アノードセパレータ３６のアノードガス流路の他の例は第１実施形態の変形例で説明する。
【００６６】
［動作］
以下、電気化学式水素ポンプ１００の水素圧縮動作について、図面を参照しながら説明する。
【００６７】
以下の動作は、例えば、図示しない制御器の演算回路が、制御器の記憶回路から制御プログラムにより行われてもよい。ただし、以下の動作を制御器で行うことは、必ずしも必須ではない。操作者が、その一部または全部の動作を行ってもよい。
【００６８】
まず、アノードガス流路３７を通じて電気化学式水素ポンプ１００のアノードに水素含有ガスが供給されるとともに、電圧印加器２１の電力が電気化学式水素ポンプ１００に給電される。
【００６９】
すると、電気化学式水素ポンプ１００のアノードのアノード触媒層２３において、酸化反応で水素分子が水素イオン（プロトン）と電子とに分離する（式（１））。プロトンは、図１Ｂに示すように、電解質膜２２内を伝導してカソード触媒層２４に移動する。電子は電圧印加器２１を通じてカソードのカソード触媒層２４に移動する。
【００７０】
そして、カソードのカソード触媒層２４において、還元反応で水素分子が再び生成される（式（２））。
【００７１】
このとき、図１Ｂに示すように、プロトンが電解質膜２２中を伝導する際に、所定水量の水が、電気浸透水としてアノードからカソードにプロトンと同伴して移動することが知られている。この水は、例えば、室温に保たれた適宜の水凝縮トラップ（図示せず）などにより、一部は電気化学式水素ポンプ１００のカソードで導出された水素ガスから除去される。
【００７２】
ここで、電気化学式水素ポンプ１００のカソードで導出された水素ガスが流通するガス導出経路（図示せず）に設けられた流量調整器（例えば、図示しない配管に設けられた背圧弁、調整弁など）を用いて、ガス導出経路の圧損を増加させることにより、カソードで生成された水素ガスを昇圧することができる。よって、高圧状態の水素ガスを、例えば、図示しない水素貯蔵器に貯蔵することができる。
【００７３】
アノード：Ｈ２（低圧）→２Ｈ＋＋２ｅ−      ・・・（１）
カソード：２Ｈ＋＋２ｅ−→Ｈ２（高圧）      ・・・（２）
【００７４】
ところで、電気化学式水素ポンプ１００の水素圧縮動作時には、電気化学式水素ポンプ１００のアノードからカソードにプロトンと同伴して移動（浸透）した水が、図１Ｂの点線で示す如く、カソードおよびアノード間の差圧によってカソードからアノードに逆流（逆浸透）する。すると、アノードガス拡散層３５の第１の部分３５Ａにおいてフラッディング（水によるガス流路の閉塞現象）を引き起こすことが多い。
【００７５】
例えば、固体高分子形の電解質膜２２は、一般に、水分が不足する場合、プロトン伝導性が低下するので、湿潤状態のアノードガスが、電気化学式水素ポンプ１００のアノードに供給される。このとき、アノードガス中の水素は、全量もしくは一部が、電気化学式水素ポンプ１００のカソードで圧縮される。なお、アノードガス流出口３７ＯＵＴから排出したアノードガスは、リサイクルガスとしてアノードガス流入口３７ＩＮに戻される。
【００７６】
ここで、電気化学式水素ポンプ１００のアノードからカソードにプロトンが移動するときに、同伴水として水が移動するが、アノードガス中の水素が全量、カソードで圧縮される場合、アノードにおいて水分が蓄積されていく。
【００７７】
また、アノードガスの一部をリサイクルガスとして排出したとしても、アノードに逆浸透した水により、アノードガス拡散層３５の第１の部分３５Ａはフラッディング状態になりやすい。この理由は、上記のとおり、電解質膜２２を十分な湿潤状態に維持する観点から電気化学式水素ポンプ１００のアノードに供給するアノードガスの露点はセル温度とほぼ同じ温度に調整することが望ましいからである。
【００７８】
以上により、電気化学式水素ポンプ１００の水素圧縮動作時に、カソードを高圧に保つ場合、アノードでは、凝縮水によりガス流路の閉塞が発生することで、水素拡散性が阻害されやすくなる。
【００７９】
そこで、本実施形態の電気化学式水素ポンプ１００は、アノードガス拡散層３５の第１の部分３５Ａ（ここでは、中央部分）の方が、アノードガス拡散層３５の第２の部分３５Ｂ（ここでは、周辺部分）よりも撥水性が高くなるように構成されている。また、アノードセパレータ３６のアノードガス流路３７を、第１の部分３５Ａ上および第２の部分３５Ｂ上に設けるように構成されている。
【００８０】
これにより、本実施形態の電気化学式水素ポンプ１００は、アノードガス拡散層３５の第１の部分３５Ａのフラッディングを軽減することで、従来よりも水素圧縮動作を高効率で安定に行い得る。
【００８１】
具体的には、本実施形態の電気化学式水素ポンプ１００は、アノードガス拡散層３５の第１の部分３５Ａ（ここでは、中央部分）の方が、アノードガス拡散層３５の第２の部分３５Ｂ（ここで、周辺部分）よりも撥水性が高いので、アノードガス拡散層３５の第１の部分３５Ａに存在する水は、第１の部分３５Ａから第２の部分３５Ｂに移動しやすい傾向がある。よって、第１の部分３５Ａに水が滞留する状態を改善することができる。
【００８２】
そして、第２の部分３５Ｂに移動した水は、アノードガス流路３７およびアノードガス流出口３７ＯＵＴを第２の部分３５Ｂ上にも設けているので、かかるアノードガス流路３７およびアノードガス流出口３７ＯＵＴを通じて外部に適切に排水することができる。特に、第１の部分３５Ａの周縁部３５Ｇの周囲を囲むように円状に延伸するアノードガス流路３７の部分に流れ込んだ水を、この部分におけるアノードガスの流れの作用によって、アノードガス流出口３７ＯＵＴから効果的に排水することができる。
【００８３】
このようにして、本実施形態の電気化学式水素ポンプ１００は、アノードガス拡散層３５の第１の部分３５Ａにおいてフラッディングを引き起こす状態を軽減することができる。そして、仮に、アノードガス拡散層３５の第１の部分３５Ａにおいてフラッディングが発生した場合、電気化学式水素ポンプ１００の水素拡散性が阻害され、これにより、電気化学式水素ポンプ１００の過電圧が上昇する可能性、電圧が変動する可能性などがあるが、本実施形態の電気化学式水素ポンプ１００は、以上の構成により、このような可能性を低減できる。
【００８４】
（変形例）
図４は、第１実施形態の変形例の電気化学式水素ポンプのアノードセパレータの一例を示す図である。図４には、図１のアノードセパレータ３６を平面視した図が示されている。なお、図４では、便宜上、アノードガス拡散層３５の第１の部分３５Ａの周縁部３５Ｇに対応するラインを二点鎖線で描いている。
【００８５】
アノードセパレータ３６のアノードガス流路１３７は、アノードガス拡散層３５の第１の部分３５Ａ上および第２の部分３５Ｂ上に設けられている。
【００８６】
図４に示す例では、アノードガス流入口１３７ＩＮおよびサーペンタイン状に延伸するアノードガス流路１３７の部分が、アノードガス拡散層３５の第１の部分３５Ａに接触するアノードセパレータ３６の主面に形成されている。また、第１の部分３５Ａの周縁部３５Ｇを横切った後のアノードガス流路１３７の部分およびアノードガス流出口１３７ＯＵＴが、アノードガス拡散層３５の第２の部分３５Ｂに接触するアノードセパレータ３６の主面に形成されている。
【００８７】
これにより、第２の部分３５Ｂに移動した水は、アノードガス流路１３７およびアノードガス流出口１３７ＯＵＴを第２の部分３５Ｂ上にも設けているので、かかるアノードガス流路１３７およびアノードガス流出口１３７ＯＵＴを通じて外部に排水することができる。但し、第２の部分３５Ｂに移動した水を、アノードガスの流れの作用によってアノードガス流出口３７ＯＵＴから効果的に排水させるには、第１実施形態の電気化学式水素ポンプ１００の如く、第１の部分３５Ａの周縁部３５Ｇの周囲を囲むように円状にアノードガス流路を延伸させる方が望ましい。
【００８８】
本変形例の電気化学式水素ポンプ１００は、上記特徴以外は、第１実施形態の電気化学式水素ポンプ１００と同様であってもよい。
【００８９】
（第２実施形態）
図５は、第２実施形態の電気化学式水素ポンプの一例を示す図である。
【００９０】
図５に示す例では、電気化学式水素ポンプ１００は、電解質膜２２と、アノード触媒層２３と、カソード触媒層２４と、電圧印加器２１（図５では図示せず）と、アノードガス拡散層３５と、アノードセパレータ３６と、アノードガス拡散板３４と、シール部材３３と、を備える。
【００９１】
電解質膜２２、アノード触媒層２３、カソード触媒層２４、電圧印加器２１、アノードガス拡散層３５およびアノードセパレータ３６は第１実施形態と同様であるので説明を省略する。
【００９２】
なお、図５では、便宜上、アノード触媒層２３およびカソード触媒層２４が設けられている電解質膜２２と、アノードガス拡散層３５と、アノードセパレータ３６と、アノードガス拡散板３４と、が分離したように描かれているが、実際は、これらの部材は、図５の一点鎖線で示された配置関係で一体的に配置されている。
【００９３】
図６は、第２実施形態の電気化学式水素ポンプのアノードガス拡散板の一例を示す図である。図６には、図５のアノードガス拡散板３４を平面視した図が示されている。なお、図６では、便宜上、アノードガス拡散層３５の第１の部分３５Ａの周縁部３５Ｇに対応するラインを二点鎖線で描いている。
【００９４】
アノードガス拡散板３４は、アノードガス拡散層３５と電解質膜２２との間に設けられており、複数の通気孔を備える。そして、アノードガス拡散板３４の複数の通気孔は、アノードガス拡散層３５の第２の部分３５Ｂ上よりもアノードガス拡散層３５の第１の部分３５Ａ上に多く設けられている。
【００９５】
ここで、「アノードガス拡散板３４の複数の通気孔は、アノードガス拡散層３５の第２の部分３５Ｂ上よりもアノードガス拡散層３５の第１の部分３５Ａ上に多く設けられている」とは、第１の部分３５Ａに接触するアノードガス拡散板３４の部分にのみ通気孔が形成されており、第２の部分３５Ｂに接触するアノードガス拡散板３４の部分に通気孔が形成されていない形態を含む。また、第１の部分３５Ａに接触するアノードガス拡散板３４の部分に形成された通気孔の単位面積当たりの個数が、第２の部分３５Ｂに接触するアノードガス拡散板３４の部分に形成された通気孔の単位面積当たりの個数よりも多い形態を含む。このとき、シール部材３３でカソードをシールするため、第２の部分３５Ｂに接触するアノードガス拡散板３４の部分のうち、シール部材３３の真上または外側に対応する部分には、通気孔を設けないのが適当である。
【００９６】
アノードガス拡散板３４は、例えば、金属板などで構成され、耐腐食性および導電性を備える。アノードガス拡散板３４として、例えば、金メッキが施されたステンレス板を用いることができるが、これに限定されない。
【００９７】
図６に示すように、アノードガス拡散層３５の第２の部分３５Ｂに接触するアノードガス拡散板３４の中央部分には、通気孔３４Ｈが形成されている。これにより、アノード触媒層２３とアノードガス拡散層３５の第１の部分３５Ａとの間でアノードガスが通過可能になっている。通気孔３４Ｈは、例えば、数十ミクロンの間隔で開けて均等に設けられた数十ミクロン程度の開口であるが、これに限定されない。このような通気孔３４Ｈは、例えば、レーザー加工などにより形成することができる。一方、アノードガス拡散層３５の第２の部分３５Ｂに接触するアノードガス拡散板３４の周辺部分には、通気孔が形成されていない。
【００９８】
図５に示すように、シール部材３３は、アノードガス拡散層３５の第２の部分３５Ｂに対向するアノードガス拡散板３４上に、電解質膜２２を介して設けられている。つまり、シール部材３３は、平面視において、アノードガス拡散層３５の第２の部分３５Ｂと同様の円環状に形成されている。シール部材３３として、例えば、Ｏリングなどを用いることができるが、これに限定されない。
【００９９】
図５の二点鎖線に示す如く、カソード触媒層２４上にカソードガス拡散層３１が設けられ、カソードガス拡散層３１上にカソードセパレータ３２がそれぞれ設けられている。そして、カソードガス拡散層３１は、カソードセパレータ３２の中央部分の凹部内に収納されている。
【０１００】
カソードガス拡散層３１は、例えば、多孔質体などで構成され、耐腐食性、導電性およびガス拡散性を備える。例えば、カソードガス拡散層３１は、白金メッキが施されたチタン繊維焼結体などの耐腐食性および導電性を備える多孔質体で構成されているが、これに限定されない。
【０１０１】
カソードガス拡散層３１は、電気化学式水素ポンプ１００の水素圧縮動作時にアノードおよびカソードの間の差圧で発生する構成部材の変位、変形に追従し得る座屈しにくい弾性材料で構成する方が望ましい。
【０１０２】
カソードセパレータ３２は、例えば、金属部材などで構成され、耐腐食性および導電性を備える。カソードセパレータ３２の材質として、例えば、白金メッキが施されたチタンなどを用いることができるが、これに限定されない。
【０１０３】
ここで、上記のシール部材３３は、カソードセパレータ３２に設けられている。具体的には、カソードセパレータ３２の中央部分には上記のカソードガス拡散層３１が収納され、カソードセパレータ３２の外周部分は、電解質膜２２に接触している。そして、この外周部分の適所に、円環状の溝が形成されており、シール部材３３がこの溝に嵌めこまれている。これにより、シール部材３３は、電解質膜２２を介してアノードガス拡散板３４の通気孔が形成されていない周辺部分を押圧している。なお、カソードセパレータ３２の適所には、カソードガス拡散層３１からの高圧状態の水素ガスを外部へ導出するためのガス導出口３２Ａが設けられている、
以上により、本実施形態の電気化学式水素ポンプ１００は、アノードガス拡散層３５と電解質膜２２との間にアノードガス拡散板３４を設けた場合であっても、アノードガス拡散層３５の第１の部分３５Ａに対向するアノードガス拡散板３４の通気孔３４Ｈを通じて、アノード触媒層２３とアノードガス拡散層３５との間でアノードガスを通過可能に構成できる。
【０１０４】
そして、アノードガス拡散層３５の第２の部分３５Ｂに対向するアノードガス拡散板３４の周辺部分では通気孔３４Ｈがない。つまり、本例では、アノードガス拡散板３４の中央部分にのみ、通気孔３４Ｈが形成され、アノードガス拡散板３４の周辺部分には通気孔３４Ｈが形成されていない。よって、アノードガス拡散板３４の周辺部分では、アノードガス拡散板３４の中央部分に比べて平坦面を構成しやすくなる。すると、シール部材３３およびアノードガス拡散板３４の周辺部分を用いて、電気化学式水素ポンプ１００のカソードを適切にシールすることができる。これにより、電気化学式水素ポンプ１００は、カソードのガス圧を高圧に維持可能に構成されている。
【０１０５】
以上のアノードガス拡散板３４およびシール部材３３は例示であって、本例に限定されない。例えば、平面視において、アノードガス拡散板３４の形状は、アノードガス拡散層３５と同形の円盤状であり、シール部材３３の形状は円環状であるが、これらに限定されない。アノードガス拡散層３５の平面視の形状が矩形状の場合、アノードガス拡散板３４の平面視の形状が矩形状であり、シール部材３３の平面視の形状が矩形環状であってもよい。
【０１０６】
なお、カソードセパレータ３２の形状は、有底の円筒体であってもよいし、有底の矩形筒体であってもよい。但し、カソードセパレータ３２を円筒体で構成することにより、これを矩形筒体で構成する場合に比べ、カソードセパレータ３２のガス圧力に対する耐性を向上させることができる。
【０１０７】
本実施形態の電気化学式水素ポンプ１００は、上記特徴以外は、第１実施形態または第１実施形態の変形例の電気化学式水素ポンプ１００と同様であってもよい。
【０１０８】
（第３実施形態）
図７は、第３実施形態の電気化学式水素ポンプの一例を示す図である。
【０１０９】
本実施形態の電気化学式水素ポンプ１００は、アノードガス流路３７に供給されるアノードガスの露点を特定したこと以外は、第１実施形態の電気化学式水素ポンプ１００と同様である。
【０１１０】
つまり、アノードガス流路３７は、アノードガスがアノードガス拡散層３５の第１の部分３５Ａ上を流れた後、アノードガス拡散層３５の第２の部分３５Ｂ上を流れるように形成されており、かつアノードガス流路３７に供給されるアノードガスの露点がセル温度と同じである。
【０１１１】
上記のとおり、電解質膜２２を十分な湿潤状態に維持する観点から電気化学式水素ポンプ１００のアノードに供給するアノードガスの露点はセル温度とほぼ同じ温度に調整することが望ましい。この場合でも、本実施形態の電気化学式水素ポンプ１００は、アノードガス拡散層３５の撥水性を適切に調整することで、アノードガス拡散層３５の第１の部分３５Ａにおいてフラッディングを引き起こす状態を軽減することができる。
【０１１２】
本実施形態の電気化学式水素ポンプ１００は、上記特徴以外は、第１実施形態、第１実施形態の変形例および第２実施形態のいずれかの電気化学式水素ポンプ１００と同様であってもよい。
【０１１３】
（第４実施形態）
図８は、第４実施形態の電気化学式水素ポンプの一例を示す図である。図９は、第４実施形態の電気化学式水素ポンプのアノードセパレータの一例を示す図である。図９には、図８のアノードセパレータ３６を平面視した図が示されている。なお、図９では、便宜上、アノードガス拡散層３５の第１の部分３５Ａの周縁部３５Ｇに対応するラインを二点鎖線で描いている。
【０１１４】
本実施形態の電気化学式水素ポンプ１００は、アノードガス流路３７に供給されるアノードガスの露点を特定したこと、および、アノードガスの流れ方向を逆にしたこと以外は、第１実施形態の電気化学式水素ポンプ１００と同様である。
【０１１５】
つまり、アノードガス流路２３７は、アノードガスがアノードガス拡散層３５の第２の部分３５Ｂ上を流れた後、アノードガス拡散層３５の第１の部分３５Ａ上を流れるように形成されており、かつアノードガス流路２３７に供給されるアノードガスの露点がセル温度より低い。具体的には、図９に示す如く、アノードガス流入口２３７ＩＮおよびアノードガス拡散層３５の第１の部分３５Ａの周縁部３５Ｇの周囲を囲むように円状に延伸するアノードガス流路２３７の部分が、アノードガス拡散層３５の第２の部分３５Ｂに接触するアノードセパレータ３６の主面に形成されている。また、第１の部分３５Ａの周縁部３５Ｇを横切った後、サーペンタイン状に延伸するアノードガス流路２３７の部分およびアノードガス流出口２３７ＯＵＴが、アノードガス拡散層３５の第１の部分３５Ａに接触するアノードセパレータ３６の主面に形成されている。
【０１１６】
以上により、本実施形態の電気化学式水素ポンプ１００は、アノードガスの露点がセル温度より低い場合、アノードガスが、撥水性が低い第２の部分３５Ｂ上、および、撥水性が高い第１の部分３５Ａ上をこの順番に流れることで、アノードガスの加湿に第２の部分３５Ｂに存在する水を効果的に利用することができる。また、第２の部分３５Ｂに存在する水をアノードガスの加湿に利用することで、第１の部分３５Ａから第２の部分３５Ｂへの水の移動を促進することができる。
【０１１７】
本実施形態の電気化学式水素ポンプ１００は、上記特徴以外は、第１実施形態、第１実施形態の変形例、第２実施形態および第３実施形態のいずれかの電気化学式水素ポンプ１００と同様であってもよい。
【０１１８】
（第５実施形態）
図１０は、第５実施形態の電気化学式水素ポンプのアノードガス拡散層の一例を示す図である。図１０には、アノードガス拡散層１３５を平面視した図が示されている。
【０１１９】
本実施形態の電気化学式水素ポンプ１００は、アノードガス拡散層１３５の第１の部分１３５Ａの撥水性を平面内で不均等に施したこと以外は、第１実施形態の電気化学式水素ポンプ１００と同様である。
【０１２０】
つまり、アノードガス拡散層１３５の第１の部分１３５Ａは、中心部から外周部に向けて、撥水性が低下している。具体的には、図１０に示す如く、アノードガス拡散層１３５の第１の部分１３５Ａの周辺部では、第１の部分１３５Ａの中心部に比べて、多孔質構造のチタン粉末焼結体の表面に付着したＰＴＦＥ粒子１３５Ｐの付着量が少ない。これにより、第１の部分１３５Ａの周辺部の撥水性を、第１の部分１３５Ａの中心部に比べて低くすることができる。なお、アノードガス拡散層１３５の第２の部分１３５Ｂは、第１実施形態の電気化学式水素ポンプ１００と同様、多孔質構造のチタン粉末焼結体の表面には、ＰＴＦＥ粒子１３５Ｐが付着していない。
【０１２１】
以上により、本実施形態の電気化学式水素ポンプ１００は、アノードガス拡散層１３５の第１の部分１３５Ａが、中心部から外周部に向けて撥水性を低下させることで、第１の部分１３５Ａにおいて、撥水性が高い中心部に存在する水を撥水性が低い外周部に効果的に移動させることができる。
【０１２２】
本実施形態の電気化学式水素ポンプ１００は、上記特徴以外は、第１実施形態、第１実施形態の変形例、第２実施形態、第３実施形態および第４実施形態のいずれかの電気化学式水素ポンプ１００と同様であってもよい。
【０１２３】
なお、第１実施形態、第１実施形態の変形例、第２実施形態、第３実施形態、第４実施形態および第５実施形態は、互いに相手を排除しない限り、互いに組み合わせてもよい。
【０１２４】
また、上記説明から、当業者にとっては、本開示の多くの改良および他の実施形態が明らかである。従って、上記説明は、例示としてのみ解釈されるべきであり、本開示を実行する最良の態様を当業者に教示する目的で提供されたものである。本開示の精神を逸脱することなく、その構造および／または機能の詳細を実質的に変更できる。
【産業上の利用可能性】
【０１２５】
本開示の一態様は、アノードガス拡散層のフラッディングを軽減することで、従来よりも水素圧縮動作を高効率で安定に行い得る電気化学式水素ポンプに利用することができる。
【符号の説明】
【０１２６】
２１          ：電圧印加器
２２          ：電解質膜
２３          ：アノード触媒層
２４          ：カソード触媒層
３１          ：カソードガス拡散層
３２          ：カソードセパレータ
３２Ａ        ：ガス導出口
３３          ：シール部材
３４          ：アノードガス拡散板
３４Ｈ        ：通気孔
３５          ：アノードガス拡散層
３５Ａ        ：第１の部分
３５Ｂ        ：第２の部分
３５Ｇ        ：周縁部
３５Ｐ        ：ＰＴＦＥ粒子
３６          ：アノードセパレータ
３６Ａ        ：凹部
３７          ：アノードガス流路
３７ＩＮ      ：アノードガス流入口
３７ＯＵＴ      ：アノードガス流出口
１００        ：電気化学式水素ポンプ
１３５        ：アノードガス拡散層
１３５Ａ      ：第１の部分
１３５Ｂ      ：第２の部分
１３５Ｐ      ：ＰＴＦＥ粒子
１３７        ：アノードガス流路
１３７ＩＮ    ：アノードガス流入口
１３７ＯＵＴ    ：アノードガス流出口
２３７        ：アノードガス流路
２３７ＩＮ    ：アノードガス流入口
２３７ＯＵＴ    ：アノードガス流出口
【図１Ａ】
2019119654.tif 000003
【図１Ｂ】
2019119654.tif 000004
【図２】
2019119654.tif 000005
【図３】
2019119654.tif 000006
【図４】
2019119654.tif 000007
【図５】
2019119654.tif 000008
【図６】
2019119654.tif 000009
【図７】
2019119654.tif 000010
【図８】
2019119654.tif 000011
【図９】
2019119654.tif 000012
【図１０】
2019119654.tif 000013